(57)【要約】      （修正有）【課題】鏡の性能を有する照明装置を提供する。【解決手段】照明装置は、第１透明基板１２０と、第１透明基板に対向して設けられている第２透明基板１３０と、第１透明基板と第２透明基板の間に位置する全反射層１４０と、第２透明基板の少なくとも一部領域に形成され、かつ一部が第２透明基板の透光領域に対向して位置する光反射構造１５０と、第１透明基板または第２透明基板の片側に設けられている光源１６０と、を含む。【選択図】図１
0003211553.tif 000002
【実用新案登録請求の範囲】
【請求項１】
照明装置であって、
互いに対向する第１表面と第２表面を有する第１透明基板と、
前記第１透明基板の第２表面に対向し、かつ互いに対向する第３表面と第４表面を有する第２透明基板と、
前記第１透明基板の前記第２表面の鏡面領域に形成され、更に前記第２表面の透光領域に露出し、かつ前記第１透明基板と前記第２透明基板の間に位置する全反射層と、
前記第２透明基板の前記第４表面の少なくとも一部領域に形成され、かつ少なくとも一部が前記第２表面の透光領域に対向して位置する光反射構造と、
前記第１透明基板または前記第２透明基板の片側に設けられている光源と、
ケースと、を含み、
前記第１透明基板、前記第２透明基板と前記光源は前記ケース内に設けられており、前記ケースは前記第２透明基板の前記第４表面の少なくとも一部を露出し、かつ前記光反射構造は前記第２透明基板の第３表面の一部領域及び前記第４表面の一部領域に形成されており、
前記第３表面に位置する前記光反射構造は前記鏡面領域に対向して位置しており、前記第４表面に位置する前記光反射構造は前記透光領域に対向して位置しており、前記光源は前記第２透明基板の少なくとも片側に位置する、照明装置。
【請求項２】
前記透光領域は前記鏡面領域の周囲に形成されている、請求項１に記載の照明装置。
【請求項３】
前記全反射層は保護層を含むことにより、前記全反射層の反射率材料を覆って保護する、請求項１に記載の照明装置。
【請求項４】
前記鏡面領域および／または前記透光領域は予め設計されたパターン形状を有することにより、前記鏡面領域は前記予め設計されたパターン形状の鏡面を有する、請求項１に記載の照明装置。
【請求項５】
前記光反射構造は複数の微細構造である、請求項１に記載の照明装置。
【請求項６】
前記複数の微細構造が複数の柱状、複数の円錐状、複数のピラミッド状または複数の半球状である、請求項５に記載の照明装置。
【請求項７】
前記複数の微細構造の幅対深さ比は１０以上である、請求項５に記載の照明装置。
【請求項８】
照明装置であって、
互いに対向する第１表面と第２表面を有する第１透明基板と、
前記第１透明基板の前記第２表面の鏡面領域に形成され、かつ前記第２表面の透光領域に露出する全反射層と、
前記第１透明基板の第２表面の透光領域に形成される光反射構造と、
前記第１透明基板の片側に設けられている光源と、を含み、
前記光反射構造は複数の微細構造であり、各該微細構造の幅は、５００μｍ〜１５００μｍ、各該微細構造の深さは５０μｍ〜１５０μｍである、照明装置。
【請求項９】
照明装置であって、
互いに対向する第１表面と第２表面を有する第１透明基板と、
前記第１透明基板の第２表面に対向し、かつ互いに対向する第３表面と第４表面を有する第２透明基板と、
前記第１透明基板の前記第２表面の鏡面領域に形成され、更に前記第２表面の透光領域に露出し、かつ前記第１透明基板と前記第２透明基板の間に位置する全反射層と、
前記第２透明基板の前記第４表面の少なくとも一部領域に形成され、かつ少なくとも一部が前記第２表面の透光領域に対向して位置する光反射構造と、
前記第１透明基板または前記第２透明基板の片側に設けられている光源と、
ケースと、を含み、
前記第１透明基板、前記第２透明基板と前記光源は前記ケース内に設けられており、前記ケースは前記第２透明基板の前記第４表面の少なくとも一部を露出し、前記光源が発光するとき、一部の光線は露出された前記第４表面を透過する、照明装置。
【考案の詳細な説明】
【技術分野】
【０００１】
本考案は照明装置に関し、特に鏡の性能を有する照明装置に関する。
【背景技術】
【０００２】
この数年、発光ダイオード（ＬＥＤ）の高出力化、高効率化に伴って、現在はＬＥＤを光源とする照明器具が開発されて、室内または室外で使用され、かつ長い期待耐用年数を有する。前記照明器具は複数のＬＥＤが基板に取り付けられて、所定の明るさを得ている。
【０００３】
しかし、上述の照明器具は、ＬＥＤから発する光の指向性が強く、かつグレア（ｇｌａｒｅ）が生じやすい。
【考案の概要】
【考案が解決しようとする課題】
【０００４】
本考案の1つの目的は照明装置を提供することである。前記照明装置は、互いに対向する第１表面と第２表面を有する第１透明基板と、前記第１透明基板の第２表面に対向し、かつ互いに対向する第３表面と第４表面を有する第２透明基板と、前記第１透明基板の第２表面の鏡面領域に形成されて、前記第２表面の透光領域に露出されている、前記第１透明基板と前記第２透明基板の間に位置する全反射層と、前記第２透明基板の第４表面の少なくとも一部領域に形成され、かつ一部が前記第２表面の透光領域に対向して位置する光反射構造と、前記第１透明基板または前記第２透明基板の片側に設けられている光源と、を含む。
【０００５】
本考案の他の目的は照明装置を提供することである。前記照明装置は、互いに対向する第１表面と第２表面を有する第１透明基板と、前記第１透明基板の第２表面の鏡面領域に形成されて、前記第２表面の透光領域に露出する全反射層と、前記第１透明基板の第２表面の透光領域に形成される光反射構造と、前記第１透明基板の片側に設けられている光源と、を含む。
【０００６】
本考案の１実施例では、ケースが高伝熱性の金属材料から製造されて、照明装置の放熱効率を向上している。
【０００７】
本考案の１実施例では、照明装置の第２透明基板は全透明または半透明であってもよい。
【０００８】
本考案の１実施例では、照明装置の第１透明基板及び／または第２透明基板は矩形、円形、楕円形、長方形、三角形または不規則形であってもよい。
【０００９】
本考案の１実施例では、照明装置の第１透明基板及び／または第２透明基板の材料は、例えば、ガラス、シリコン含有材、光硬化型樹脂、ポリメタクリル酸メチル（ＰＭＭＡ）またはポリカーボネート（ＰＣ）である。
【００１０】
本考案の１実施例では、第１透明基板の材料は、強化ガラスであり、基板の強度と耐久性を向上している。
【００１１】
本考案の１実施例では、第２透明基板の材料に、透明または白色顔料を使用した光拡散材を混合することができる。
【００１２】
本考案の１実施例では、ケースに露出される発光面は、例えば、矩形、円形、楕円形、長方形、三角形または不規則形のいずれであってもよい。
【００１３】
本考案の１実施例では、第２透明基板の側入光面は透明基板の少なくとも片側に形成され、かつ光源の位置に対応して、光源から発する光線を透明基板に透過させるため、前記側入光面はＶ形構造（Ｖ−Ｃｕｔ）、Ｓ形波打った構造を有しまたは表面が粗面化処理されて、光線の入射効率と光結合効率を向上させている。
【００１４】
本考案の１実施例では、光反射構造は反射網点または微細構造であってもよい。
【００１５】
本考案の１実施例では、光反射構造は透明基板の反射面に配列されており、光反射構造は連続的または非連続的に反射面の全領域または一部領域に配列されている。
【００１６】
本考案の１実施例では、光反射構造の横切断面の形状は、三角形、矩形、台形または半円形であってもよい。
【００１７】
本考案の１実施例では、光反射構造は、複数の柱状、円錐状、ピラミッド状または半球状であってもよい。
【００１８】
本考案の１実施例では、光反射構造は少なくとも幅対深さ比（ｗｉｄｔｈ−ｄｅｐｔｈ  ｒａｔｉｏ）を有し、光反射構造の幅は約５００ミクロン（μｍ）〜１５００μｍ、その深さは約５０μｍ〜１５０μｍである。
【００１９】
本考案の１実施例では、照明装置の各光反射構造の幅対深さ比は１０以上である。
【００２０】
本考案の１実施例では、照明装置の各光反射構造の幅対深さ比は約１０〜３０である。
【００２１】
本考案の１実施例では、照明装置の各光反射構造の幅対深さ比は約１３〜２７である。
【００２２】
本考案の１実施例では、第２表面の鏡面領域及び／または透光領域は予め設計されたパターン形状を有し、前記予め設計されたパターン形状は、予め設計された図形パターン、文字パターン、芸術的パターンまたは他のパターンであってもよい。そのため、鏡面領域は予め設計されたパターン形状の鏡面効果を有し、または、透光領域は予め設計された発光パターンを有することができる。
【００２３】
本考案の１実施例では、透光領域は鏡面領域の周囲に形成されて、鏡面効果に対する影響を減少させている。
【００２４】
本考案の１実施例では、全反射層は保護層を含むことにより、全反射層の反射率材料を覆って保護する。そのうち、保護層は第２透明基板の第３表面に対面して、第２表面の透光領域に露出している。
【００２５】
本考案の１実施例では、照明装置の光源は冷陰極蛍光ランプ（Ｃｏｌｄ  Ｃａｔｈｏｄｅ  Ｆｌｕｏｒｅｓｃｅｎｔ  Ｌａｍｐ、ＣＣＦＬ）、熱陰極蛍光管（Ｈｏｔ  Ｃａｔｈｏｄｅ  Ｆｌｕｏｒｅｓｃｅｎｔ  Ｌａｍｐ、ＨＣＦＬ）、発光ダイオード（Ｌｉｇｈｔ−Ｅｍｉｔｔｉｎｇ  Ｄｉｏｄｅ、ＬＥＤ）、有機発光ダイオード（Ｏｒｇａｎｉｃ  Ｌｉｇｈｔ  Ｅｍｉｔｔｉｎｇ  Ｄｉｏｄｅ、ＯＬＥＤ）、平面蛍光ランプ（Ｆｌａｔ  Ｆｌｕｏｒｅｓｃｅｎｔ  Ｌａｍｐ、ＦＦＬ）、エレクトロルミネッセンス（Ｅｌｅｃｔｒｏ−Ｌｕｍｉｎｅｓｃｅｎｃｅ、ＥＬ）、ライトバー（ＬｉｇｈｔＢａｒ）、無極電球、レーザーダイオード（ＬＤ）、または上述のいずれかの組み合せであってもよい。
【００２６】
本考案の１実施例では、光反射構造は第１透明基板の第２表面の透光領域に形成されており、光源は第１透明基板の少なくとも片側に位置して、第１透明基板内に光線を発している。そのため、本実施例で、照明を供給するとき、光源から発する光線は第１透明基板内に進入して、第１透明基板の内部で伝達する。透光領域の構造を通じて、光線の全反射の伝達を破壊することで、第１透明基板の内部の光線が第１表面の外部に反射されて、照明装置の外部へ発することができる。
【００２７】
本考案の１実施例では、ケースは第２透明基板の第４表面の少なくとも一部を露出し、かつ光反射構造は第２透明基板の第３表面の一部領域と第４表面の一部領域に同時に形成することができる。
【００２８】
本考案の１実施例では、第３表面の光反射構造は鏡面領域に対向して位置し、第４表面の光反射構造は透光領域に対向して位置する。光源は第２透明基板の少なくとも片側に位置して、光線を第２透明基板内に発する。そのため、光源が発光するとき、第２透明基板の内部の光線において、一部の光線は第４表面の光反射構造の反射を通じて第１透明基板を透過し、他の一部の光線は第３表面の光反射構造の反射を通じて第４表面を透過して外部へ発光するため、両面が発光する効果を達成することができる。
【００２９】
本考案の１実施例では、第３表面の光反射構造の配列または設置は、他の予め設計されたパターン形状を有することができ、該予め設計されたパターン形状は予め設計された図形パターン、文字パターン、芸術的パターンまたは他のパターンであってもよい。そのため、第４表面には予め設計された発光パターンを形成することができる。
【００３０】
上述したように、本考案の照明装置は、鏡の性能と発光の性能を同時に有して、鏡と照明灯具として同時に利用することができる。
【図面の簡単な説明】
【００３１】
【図１】図１は、本考案の１実施例における照明装置を示す図である。
【図２Ａ】図２Ａは、本考案の１実施例における鏡面領域と透光領域を示す図である。
【図２Ｂ】図２Ｂは、本考案の１実施例における鏡面領域と透光領域を示す図である。
【図３】図３は、本考案の１実施例における照明装置を示す図である。
【図４】図４は、本考案の１実施例における照明装置を示す図である。
【考案を実施するための形態】
【００３２】
本考案の上述と他の目的、特徴、利点を更に詳しく分かりやすくさせるために、下記では好ましい実施例と図面を用いて、詳細に説明する。更に、本考案で用いる用語、例えば、上、下、頂部、底部、前、後、左、右、側面、周囲、中央、水平、横方向、垂直、縦方向、軸方向、径方向、最上層または最下層等は、図面を参考するためのものである。そのため、使用される用語は本考案を説明と理解させるためのものであり、本考案を制限するものではない。
【００３３】
本質上で、図面と明細書に記載されたものは本考案を説明するためであり、本考案を制限するものではない。図面において、構造の類似するユニットは同じ符号を用いて説明する。更に、本考案を理解、更に詳細に説明するために、図面に示される各部材のサイズと厚さは任意で示し、本考案を制限するのもではない。
【００３４】
図面において、更に明確にさせるため、層、膜、パネル、領域などにおける厚さを拡大している。図面では、本考案を理解、更に詳細に説明するため、一部の層と領域の厚さを拡大している。ここで、理解すべきことは、例えば層、膜、領域または基底の部材は他の部材"上"に"位置"する時、前記部材は直接前記他の部材上に位置し、または介在部材が存在されることも可能である。
【００３５】
具体的実施方式において、図面を用いて本考案の実施例を更に詳しく説明し、図面では本考案の実施例が示されている。しかし、本考案は多くの異なる形式により示されているが、本考案の実施例に制限されない。これに反して、前記実施例により本考案で公開された技術手段を更に簡単で徹底的に理解して、当業者に本考案の技術範囲を伝達することができる。同じ符号は各箇所で同じ部材を示している。
【００３６】
本考案の用語における第1、第2等で各種部材を記述するが、これらの部材は前記用語により制限されないことを理解すべきである。これらの用語は部材と他の部材を区別するためである。例えば、本考案の技術的範囲から離れない状態で、第1部材は第2部材として称することが可能で、同じく、第2部材も第1部材として称されることができる。本考案で使用される、用語"及び/または"は１つ以上の関連する項目の任意の組合せと全ての組合せを含んでいる。
【００３７】
ここで理解すべきことは、モジュール(例えば、層、領域またはは基底)は他のモジュール上で、または他のモジュール上に延伸されることは、直接他のモジュール上で、または他のモジュール上に直接延伸され、または介在するモジュールが存在することができる。これに反して、部材が、直接他のモジュール上で、または他のモジュール上に直接延伸されることは、介在するモジュールが存在しないことを示す。更に、部材が、他の部材上に"連結"または"接続"されることは、他の部材上に直接連結または接続され、または介在するモジュールが存在可能と理解することができる。これに反して、部材が、他の部材上に"直接連結"または"直接接続"されることは、介在する部材の連結が存在しないと理解すべきである。
【００３８】
本考案に用いる用語は、具体的実施例を記述するためであり、本考案を制限するものではない。本考案に用いる、単数形式"１つ"、"1種"、"これ"は複数形式を含むが、上下文が他の記述によりはっきりと指摘された場合はこの限りではない。ここで理解すべきことは、本考案に用いる用語"含む"、"包含"、"有する"及び/または"設けられている"を使用する時、記述する特徴、全体、手順、操作、部材、及び/または構造部品の存在を指定するが、１つまたは複数の他の特徴、全体、手順、操作、部材、構造部品、及び/またはそれらの組合せの存在または付加は除かない。
【００３９】
特に限定しない限り、本考案で用いる全ての用語(技術用語と科学用語を含む)は、全て本考案の当業者における一般の技術員が通常理解できる意味と同じ意味である。更に理解すべきことは、本考案で用いる用語は、明細書の上下文と関連領域での意味が一致し、明細書で明確に提言された場合を除く、理想化または過度形式の意味として解釈してはいけない。
【００４０】
他に明確に指摘されていない限り、比較的用語(例えば、"比較的少ない"と"比較的大きい")は包含するものが同じである概念を示す。例えば、"比較的少ない"用語は、数学での意味"比較的少ない"を示し、更に"少ないまたは同等"の意味も示す。
【００４１】
図１は本考案の１実施例の照明装置を示している。本考案の照明装置は鏡の性能と発光の性能を同時に有して、同時に鏡と照明灯具として作用する。
【００４２】
本考案の照明装置は室内用または戸外の環境に設けられて、室内または戸外の照明に用いられる。更に詳しく説明すると、本考案の照明装置は建築物の支持面、例えば、室内の天井（例えば、天井板材）、床板、壁またはガラス基板、または戸外建築物の外壁またはガラスカーテンに実装または取付けられてもよい。
【００４３】
図１に示すように、本実施例の照明装置１００は、ケース１１０、第１透明基板１２０、第２透明基板１３０、全反射層１４０、光反射構造１５０、少なくとも１つの光源１６０を含む。第１透明基板１２０、第２透明基板１３０と光源１６０はケース１１０内に架設されている。全反射層１４０は第１透明基板１２０と第２透明基板１３０の間に形成されて、鏡面の効果を果たしている。光反射構造１５０は第２透明基板１３０の表面に形成されて、光源１６０から発光される光線の反射に用いられる。光源１６０は第１透明基板１２０または第２透明基板１３０の少なくとも片側に位置して、第１透明基板１２０または第２透明基板１３０内に発光する。
【００４４】
図１に示すように、照明装置のケース１１０は光不透過性材料からなり、例えば、金属材料、可塑化材料または前記材料の組み合せである。ケース１１０は高伝熱性の金属材料から製造されて、照明装置の放熱効率を高くする。ケース１１０は開口１１１と少なくとも１つの収容室１１２を有し、開口１１１は室内または屋外に向かって、第１透明基板１２０の第１表面１２１の露出に用いられ、収容室１１２は開口１１１の少なくとも片側に位置し、かつ開口１１１に連通して、光源１６０の収容に用いられている。
【００４５】
図１に示すように、本実施例の照明装置１００の第２透明基板１３０は全透明または半透明であってもよい。第１透明基板１２０と第２透明基板１３０は平板形構造に製造され、かつ第１透明基板１２０および／または第２透明基板１３０は、例えば、矩形、円形、楕円形、長方形、三角形または不規則形の任意形状の平板である。第１透明基板１２０および／または第２透明基板１３０の材料は、例えば、ガラス、シリコン含有材、光硬化型樹脂、ポリメタクリル酸メチル（ＰＭＭＡ）またはポリカーボネート（ＰＣ）である。照明装置１００は戸外の照明に用いられるとき、該第１透明基板１２０は強化ガラスであって、基板の強度と耐久度を向上させている。第２透明基板１３０材料内には透明または白色顔料が使用されている光拡散材が混合されている。第１透明基板１２０は互いに対向する第１表面１２１と第２表面１２２を有し、第２透明基板１３０は互いに対向する第３表面１３１と第４表面１３２を有し、第１透明基板１２０の第２表面１２２は第２透明基板１３０の第３表面１３１に対向している。第１表面１２１は照明装置１００の真正面に位置し、かつ使用者と対面している。そのうち、ケース１１０に露出される第１表面１２１は、例えば、矩形、円形、楕円形、長方形、三角形または不規則形の任意形状であってもよい。
【００４６】
図１に示すように、第２透明基板１３０は第２透明基板１３０の少なくとも片側に形成される側入光面１３３を有し、該側入光面１３３は光源１６０に対応する箇所に位置して、光源１６０から発する光線を第２透明基板１３０内に進入させている。１実施例では、前記側入光面１３３は、例えば、Ｖ形構造（Ｖ−Ｃｕｔ）、Ｓ形波打った構造を有しまたは表面の粗面化処理（図に示せず）されて、光線の入射効率と光結合効率を向上させている。本実施例で、前記側入光面１３３は平面であり、実際は、第３表面１３１または第４表面１３２に垂直になる。
【００４７】
図１および図２に示すように、図２は本考案の１実施例の鏡面領域と透光領域を示す図である。本実施例の全反射層１４０は第１透明基板１２０と第２透明基板１３０の間に位置し、映像の反射に用いられて、鏡面の効果を果たしている。そのうち、全反射層１４０は第１透明基板１２０の第２表面１２２の鏡面領域１２２ａに形成されて、第２表面１２２の透光領域１２２ｂに露出する。第２表面１２２の透光領域１２２ｂは光線の透過が可能であるため、透光領域１２２ｂで、光線は第１透明基板１２０を透して、発光効果を果たしている。そのうち、第２表面１２２の鏡面領域１２２ａおよび／または透光領域１２２ｂは任意形状であってもよい。１実施例では、鏡面領域１２２ａおよび／または透光領域１２２ｂは予め設計されたパターン形状を有し、該予め設計されたパターン形状は予め設計された図形パターン、文字パターン、芸術的パターンまたは他のパターンであってもよい。そのため、鏡面領域１２２ａは予め設計されたパターン形状の鏡面効果を有し、または、透光領域１２２ｂは予め設計された発光パターンを有してもよい。
【００４８】
図２に示すように、透光領域１２２ｂは第２表面１２２の任意箇所に位置し、１実施例では、透光領域１２２ｂは鏡面領域１２２ａの周囲に位置して、鏡面効果に対する影響を減少させている。
【００４９】
全反射層１４０は高反射率を有する材料により塗布して形成されており、高反射率を有する材料は、例えば、銀、アルミニウム、金、クロム、銅、インジウム、イリジウム、ニッケル、白金、レニウム、ロジウム、スズ、タンタル、タングステン、マンガン、または上述した任意の合金である。全反射層１４０は保護層１４１を含むことで、全反射層１４０の反射率を有する材料の被覆と保護に用いられる。そのうち、保護層１４１は第２透明基板１３０の第３表面１３１に対面し、かつ第２表面１２２の透光領域１２２ｂに露出する。
【００５０】
図１に示すように、光反射構造１５０は第２透明基板１３０の第４表面１３２の全領域または一部領域に形成され、かつ少なくとも一部の光反射構造１５０は前記第２表面１２２の透光領域１２２ｂに対向して位置することにより、第２透明基板１３０内部の光線の反射に用いられ、光線は第２表面１２２の透光領域１２２ｂを通じて照明装置１００の外部に発することができる。
【００５１】
図２に示すように、光反射構造１５０は反射網点または微細構造であってもよい。１実施例では、光反射構造１５０は複数の微細構造になって、第２透明基板１３０の第４表面１３２に配列し、光反射構造１５０も連続的または不連続的に第４表面１３２の全領域または一部領域に配列する。光反射構造１５０の横断面形状は三角形、矩形、台形または半円形である。または、光反射構造１５０は複数の柱状、円錐状、ピラミッド状または半球状である。更に、光反射構造１５０の底面は多角形、円形、不規則形または任意形状である。そのうち、光反射構造１５０は少なくとも１つの幅対深さ比（ｗｉｄｔｈ−ｄｅｐｔｈ  ｒａｔｉｏ、Ｗ／Ｄ）を有する。光反射構造１５０の幅対深さ比は光反射構造１５０の幅と深さの比率（Ｗ／Ｄ）を示している。前記幅は光反射構造１５０が第２表面１２２で形成した凹部の開口された幅であり、深さは光反射構造１５０が第２表面１２２で形成した凹部の深さである。本実施例では、光反射構造１５０の幅は約５００ミクロン（μｍ）〜１５００μｍであり、その深さは約５０μｍ〜１５０μｍである。
【００５２】
１実施例では、光反射構造１５０の幅対深さ比（Ｗ／Ｄ）により、照明装置１００の明るさ分布を調整することができる。実際、各光反射構造１５０の間の幅対深さ比は微細な差を有し、本実施例の照明装置１００の各光反射構造１５０の幅対深さ比は所定の幅対深さ比の範囲内に存在し、例えば１０以上で、照明装置１００から発する光線の明るさ分布が期待された照明要件を満たしている。１実施例では、光反射構造１５０の幅対深さ比は約１０〜３０であり、照明装置１００の明るさ分布を調整する。１実施例では、光反射構造１５０の幅対深さ比は約１３〜２７で、照明装置１００の明るさ分布を調整する。
【００５３】
図１に示すように、照明装置の光源１６０はケース１１０の収容室１１２内に設けられ、かつ第２透明基板１３０の側入光面１３３と直面になって、光線を側入光面１３３から透通させる。光源１６０は、例えば、冷陰極蛍光ランプ（Ｃｏｌｄ  Ｃａｔｈｏｄｅ  Ｆｌｕｏｒｅｓｃｅｎｔ  Ｌａｍｐ、ＣＣＦＬ）、熱陰極蛍光管（Ｈｏｔ  Ｃａｔｈｏｄｅ  Ｆｌｕｏｒｅｓｃｅｎｔ  Ｌａｍｐ、ＨＣＦＬ）、発光ダイオード（Ｌｉｇｈｔ−Ｅｍｉｔｔｉｎｇ  Ｄｉｏｄｅ、ＬＥＤ）、有機発光ダイオード（Ｏｒｇａｎｉｃ  Ｌｉｇｈｔ  Ｅｍｉｔｔｉｎｇ  Ｄｉｏｄｅ、ＯＬＥＤ）、平面蛍光ランプ（Ｆｌａｔ  Ｆｌｕｏｒｅｓｃｅｎｔ  Ｌａｍｐ、ＦＦＬ）、エレクトロルミネッセンス（Ｅｌｅｃｔｒｏ−Ｌｕｍｉｎｅｓｃｅｎｃｅ、ＥＬ）、ライトバー（Ｌｉｇｈｔ  Ｂａｒ）、無極電球、レーザーダイオード（ＬＤ）または上述のいずれかの組み合せである。
【００５４】
１実施例では、光源１６０はＬＥＤ発光ライトバーであって、ＬＥＤセル（図示せず）と基板（図示せず）を含み、ＬＥＤセルは表面実装型のＬＥＤパッキング体である。前記ＬＥＤパッキング体は複数で、かつ基板の長手方向に沿って直線状に配列されている。ＬＥＤパッキング体はほぼセラミックまたは合成樹脂で形成されたキャビティー内部に配列されたＬＥＤチップ、前記ＬＥＤチップを密閉するエポキシ化合物系樹脂またはシリコーンケトン（ｓｉｌｉｃｏｎｅ）樹脂などの鋳型用の光透過性樹脂から構成されている。ＬＥＤチップは青色光を出射するＬＥＤチップであってもよい。光透過性樹脂には蛍光体が混合されており、白色光を出射するため、青色光と色補正関係を有する黄色系の光を発する黄色蛍光体を使用している。
【００５５】
図１に示すように、照明装置１００はアダプタ（図示せず）と点灯装置（図示せず）を更に含み、点灯装置はボックス状のケース内に収容される回路基板と前記基板に設けられる回路部品とを含み、点灯装置はアダプタを通じて商用交流電源と接続し、更に前記交流電源により直流電流を出力することができる。そのため、点灯装置は光源１６０と電気接続し、前記直流電流を光源１６０に出力して、光源１６０に対して点灯制御を行っている。前記点灯装置はケース１１０の外部または内部（例えば、収容室１１２内）に位置しまたは設けることができる。
【００５６】
図１に示すように、照明装置１００が照明するとき、光源１６０の発する光線は側入光面１３３により第２透明基板１３０内に進入して、第２透明基板１３０の内部で伝達する。第４表面１３２の光反射構造１５０は光線の全反射の伝達を破壊することにより、第２透明基板１３０の内部の光線が第３表面１３１の外部に反射し、更に第１透明基板１２０を透過して照明装置１００の外部に発することができる。そのため、使用者は照明装置１００の鏡面（鏡面領域１２２ａ）を使用するとき、同時に光源１６０を開いて発光させ、更に透光領域１２２ｂから発する光線を補助照明とするため、鏡の性能と照明の性能を同時に有することができる。
【００５７】
図３は、本考案の１実施例の照明装置を示す図である。１実施例では、照明装置１００で第２透明基板１３０を省略することができる。本実施例では、光反射構造２５０は第１透明基板１２０の第２表面１２２の透光領域１２２ｂに形成されてもよく、光源１６０は第１透明基板１２０の少なくとも片側に位置して、第１透明基板１２０内に光線を発する。そのため、本実施例では、照明を提供するとき、光源１６０から発する光線は第１透明基板１２０内に進入して、第１透明基板１２０の内部で伝達する。透光領域１２２ｂの光反射構造２５０により光線の全反射の伝達を破壊することにより、第１透明基板１２０の内部の光線が第１表面１２１の外部に反射されて、照明装置１００の外部に発することができる。そのため、使用者が照明装置１００の鏡面（鏡面領域１２２ａ）を使用するとき、同時に光源１６０を開いて発光させることで、透光領域１２２ｂから発する光線を用いて補助照明とし、鏡の性能と照明の性能を同時に有することができる。
【００５８】
図４は、本考案の１実施例の照明装置を示す図である。１実施例では、ケース３１０は第２透明基板１３０の第４表面１３２の少なくとも一部を露出し、光反射構造３５０は同時に第２透明基板１３０の第３表面１３１の一部領域と第４表面１３２の一部領域に形成することができる。例えば、第３表面１３１の光反射構造３５０は鏡面領域１２２ａに対向して位置し、第４表面１３２の光反射構造３５０は透光領域１２２ｂに対向して位置する。光源１６０は第２透明基板１３０の少なくとも片側に位置して、第２透明基板１３０の内部に光線を発する。そのため、光源１６０が発光するとき、第２透明基板１３０の内部の光線において、一部の光線は第４表面１３２の光反射構造３５０の反射により第１透明基板１２０を透過し、他の一部の光線は第３表面１３１の光反射構造３５０の反射により第４表面１３２を透過して外部へ発するため、両面発光の効果を果たすことができる。
【００５９】
１実施例では、第３表面１３１の光反射構造３５０の配列または設置は他の予め設計されたパターン形状を有し、前記他の予め設計されたパターン形状は予め設計された図形パターン、文字パターン、芸術的パターンまたは他のパターンであってもよい。そのため、第４表面１３２には予め設計された発光パターンを形成することができる。
【００６０】
以上のことより、本考案の照明装置は鏡の性能と照明の性能を同時に有することがわかる。
【００６１】
これらの実施例におけるいろんな様態は当業者が、その領域の技術を他の当業者に伝達する時に使用される用語を用いて本考案に記述する。当業者が理解すべきことは、本考案の実施例はいくつかの記述された様態のみを用いて実施することができる。説明するめに開示された、特定の数、材料と配置は、本考案の実施例を完全に理解させる目的である。しかし、当業者が理解すべきことは、本考案の実施例は特定の内容がない状態でも実施することができる。他の例で、従来の特徴は省略または簡素化することで、好ましい実施例を妨げないようにしている。
【００６２】
"いくつかの実施例で"と"いろんな実施例で"などの用語は繰返して使用される。前記用語は同じ実施例を示していないが、同じ実施例を示すこともできる。"含む"、"有する"と"含有"などの用語は同義語で、前後文で他の意味を示す場合はこの限りではない。
【００６３】
本考案は好ましい実施例を掲示しているが、これに制限されず、本考案における技術手段に習熟している技術者は、本考案の精神と範囲内から離れない状態で、いろんな変動と修飾を行うことができるため、本考案の保護範囲に属する実用新案登録請求の範囲を基準にする。
【符号の説明】
【００６４】
１００ 照明装置
１１０ ケース
１１１ 開口
１１２ 収容室
１２０ 第１透明基板
１２１ 第１表面
１２２ 第２表面
１２２ａ 鏡面領域
１２２ｂ 透光領域
１３０ 第２透明基板
１３１ 第３表面
１３２ 第４表面
１３３ 側入光面
１４０ 全反射層
１４１ 保護層
１５０ 光反射構造
１６０ 光源
２５０ 光反射構造
３１０ ケース
３５０ 光反射構造
【図１】
0003211553.tif 000003
【図２Ａ】
0003211553.tif 000004
【図２Ｂ】
0003211553.tif 000005
【図３】
0003211553.tif 000006
【図４】
0003211553.tif 000007